(57)【要約】【課題】本発明は、軸受外輪の軸方向への変位をより確実に防止することができる軸受及びそれを用いたエレベータ用巻上機を得ることを目的とするものである。【解決手段】軸受外輪１７は、第１及び第２の軸受内輪１９，２０の外周面に対向している。また、軸受外輪１７は、第２のフランジ部２２と、第２のねじ部２３とを有している。第２のフランジ部２２は、軸受外輪１７の外周面の一端部に設けられている。第２のねじ部２３は、軸方向に沿って軸受外輪１７の外周面の他端部に設けられている。第２のねじ部２３には、第２の軸受ナット２４が螺着されている。第２の軸受ナット２４は、第２のフランジ部２２に対向している。【選択図】図１
2010101440.tif 000002
【特許請求の範囲】
【請求項１】
第１及び第２の軸受内輪を有している軸受内輪、
外周部に設けられたフランジ部と、ねじ部とを有し、上記軸受内輪の外周面に対向する軸受外輪、
上記軸受内輪と上記軸受外輪との間に設けられている複数の転動体、及び
上記ねじ部に螺着され、上記フランジ部に対向する軸受ナット
を備えていることを特徴とする軸受。
【請求項２】
上記第１及び第２の軸受内輪は、軸方向に互いに間隔をおいて上記軸受外輪の内側に配置されており、
上記第１及び第２の軸受内輪間には、上記第１及び第２の軸受内輪間の間隔を保持する間座が設けられていること特徴とする請求項１記載の軸受。
【請求項３】
固定部、
綱車を有し、上記固定部に対して回転可能な回転部、及び
軸受内輪と、上記軸受内輪の外周面に対向する軸受外輪と、上記軸受内輪と上記軸受外輪との間に設けられている複数の転動体とを有し、上記固定部と上記回転部との間に設けられている軸受
を備え、
上記軸受外輪は、外周部に設けられたフランジ部と、ねじ部とを有し、
上記ねじ部には、上記フランジ部に対向する軸受ナットが螺着されており、
上記軸受外輪は、上記フランジ部と上記軸受ナットとで上記回転部の突起部を挟み込むことにより、上記回転部に固定されること特徴とするエレベータ用巻上機。
【発明の詳細な説明】
【技術分野】
【０００１】
この発明は、軸受内輪と軸受外輪との間に転動体が設けられている軸受及びそれを用いたエレベータ用巻上機に関するものである。
【背景技術】
【０００２】
従来のエレベータ用巻上機では、固定軸と回転部枠体との間に二つの軸受が設けられている。二つの軸受の外輪間には、間座が設けられている。また、二つの軸受の内輪間には、間隙が設けられている。この二つの軸受には、固定軸に設けられている軸受ナットを締め付けることにより予圧が与えられている（例えば、特許文献１参照）。
【０００３】
【特許文献１】特開２００６−１４３４６９号公報
【発明の開示】
【発明が解決しようとする課題】
【０００４】
上記のように構成されたエレベータ用巻上機では、二つの軸受の外輪間に間座が設けられており、二つの軸受の内輪間には間隙が設けられているので、軸受に対する予圧量は軸受ナットを締め付けて軸受内輪の押し込み量で調整する必要があり、予圧の調整作業は困難なものとなっていた。そこで、内輪間に間座を設ける方法も考えられるが、軸受に対する予圧量は外輪間の間座と内輪間の間座との寸法差によって軸受に対する予圧量が決定される。従って、適正な予圧量を調整しようとすると、外輪間の間座寸法に応じて内輪間の間座を選択して内輪間に間座を組み付ける必要があり、様々な寸法の間座の準備及び選別作業に手間がかかってしまう。さらに、軸受の外輪の軸方向には、軸受ナットが設けられていないため、誤って外輪間の間座の寸法に対応しない間座を内輪間に設けてしまうと、軸受の外輪が軸方向に変位してしまうことがあった。
【０００５】
この発明は、上記のような課題を解決するためになされたものであり、予圧の調整作業を容易に行うことができるとともに、軸受外輪の軸方向への変位をより確実に防止することができる軸受及びそれを用いたエレベータ用巻上機を得ることを目的とする。
【課題を解決するための手段】
【０００６】
この発明に係る軸受は、第１及び第２の軸受内輪を有している軸受内輪、外周部に設けられたフランジ部と、ねじ部とを有し、軸受内輪の外周面に対向する軸受外輪、軸受内輪と軸受外輪との間に設けられている複数の転動体、及びねじ部に螺着され、フランジ部に対向する軸受ナットを備えている。
【発明の効果】
【０００７】
この発明の軸受では、第１及び第２の軸受内輪を有している軸受内輪の外周面に軸受外輪が対向しているので、第１及び第２の軸受内輪間の寸法で軸受に対する予圧の調整作業を容易に行うことができる。また、軸受外輪は、外周部に設けられたフランジ部とねじ部とを有し、ねじ部には軸受ナットが螺着され、フランジ部と軸受ナットとで装着部を挟み込むことにより、軸受外輪が装着部に固定されるので、軸受外輪の軸方向への変位をより確実に防止することができる。
【発明を実施するための最良の形態】
【０００８】
以下、この発明を実施するための最良の形態について、図面を参照して説明する。
実施の形態１．
図１はこの発明の実施の形態１を示すエレベータ用巻上機の断面図、図２は図１の複列円錐ころ軸受を示す断面図である。固定部１は、ハウジング２と、主軸３と、コイル部４とを有している。ハウジング２は、エレベータ用巻上機を設置する場所にフレーム（図示せず）を介して固定されている。主軸３は、ハウジング２の中心部分に固定されている。コイル部４は、ハウジング２の内側に取り付けられている。
【０００９】
主軸３には、回転部５が回転可能に設けられている。回転部５は、綱車６と、回転部本体７と、ローター磁石８とを有している。綱車６には、かご（図示せず）を吊架するためのロープ（又はベルト）９が巻き掛けられる。回転部本体７は、綱車取付部１０と、磁石取付部１１とを有している。綱車６は、綱車取付部１０の外周部に取り付けられている。磁石取付部１１は、綱車取付部１０よりも大径で綱車取付部１０と同軸に設けられている。ローター磁石８は、磁石取付部１１の外周面に取り付けられている。また、ローター磁石８は、コイル部４と対向している。主軸３と回転部本体７との間には、複列円錐ころ軸受１２が設けられている。
【００１０】
主軸３の先端部の外周面には、第１のねじ部１３が設けられている。第１のねじ部１３には、第１の軸受ナット１４が螺着されている。ここで、主軸３の径は、先端部から所定の位置より大きくなっている。即ち、主軸３の径の変化部分には、第１のフランジ部１５が形成されている。第１の軸受ナット１４は、第１のフランジ部１５に対向している。
【００１１】
複列円錐ころ軸受１２は、軸受内輪１６と、軸受外輪１７と、複数の転動体１８とを有している。また、複列円錐ころ軸受１２は、背面構造となっている。軸受内輪１６は、第１の軸受内輪１９と、第２の軸受内輪２０とを有している。第１及び第２の軸受内輪１９，２０は、主軸３の外周面に互いに間隔をおいて設けられている。また、第１及び第２の軸受内輪１９，２０は、第１の軸受ナット１４と第１のフランジ部１５との間に配置されている。第１及び第２の軸受内輪１９，２０の間には、互いの間隔を保持する間座２１が設けられている。間座２１は、第２の軸受内輪２０の第１のフランジ部１５側への押し込み量を制限している。
【００１２】
ここで、第１及び第２の軸受内輪１９，２０は、第１の軸受ナット１４及び第１のフランジ部１５及び間座２１によって軸方向への変位を防止されている。また、複列円錐ころ軸受１２には、第２の軸受内輪２０が第１の軸受ナット１４の締め付けによりフランジ部１５側へ押し込み過ぎることがなくなるので、予圧がある一定以上かからなくなる。
【００１３】
軸受外輪１７は、第１及び第２の軸受内輪１９，２０の外周面に対向している。また、軸受外輪１７は、第２のフランジ部２２と、第２のねじ部２３とを有している。第２のフランジ部２２は、軸受外輪１７の外周面の一端部に設けられている。第２のねじ部２３は、軸方向に沿って軸受外輪１７の外周面の他端部に設けられている。第２のねじ部２３には、第２の軸受ナット２４が螺着されている。第２の軸受ナット２４は、第２のフランジ部２２に対向している。各転動体１８は、第１及び第２の軸受内輪１９，２０と軸受外輪１７との間に設けられている。
【００１４】
第２のフランジ部２２と第２の軸受ナット２４の間には、綱車取付部１０の突起部１０ａが配置されている。従って、軸受外輪１７は、第２のフランジ部２２と第２の軸受ナット２４とで突起部１０ａを挟み込むことにより、突起部１０ａに固定される。
【００１５】
このような軸受及びエレベータ用巻上機では、軸受外輪１７の外周面の一端部に第２のフランジ部２２が設けられているとともに、他端部に第２のねじ部２３が設けられており、第２のねじ部２３には、第２の軸受ナット２４が第２のフランジ部２２に対向して螺着されている。このため、第２のフランジ部２２と第２の軸受ナット２４との間に配置されている突起部１０ａを第２のフランジ部２２と第２の軸受ナット２４とで挟み込むことにより、軸受外輪１７が突起部１０ａに固定されるので、軸受外輪１７の軸方向への変位をより確実に防止することができる。
【００１６】
また、第１及び第２の軸受内輪１９，２０の間には、互いの間隔を保持する間座２１が設けられているので、第２の軸受内輪２０の第１のフランジ部１５側への押し込み量が制限され、第２の軸受内輪２０をフランジ部１５側へ押し込み過ぎることがなくなる。従って、複列円錐ころ軸受１２には、予圧がある一定以上かからなくなるので、複列円錐ころ軸受１２に負荷する予圧を容易に調整することができる。
【００１７】
なお、上記の例では、複列円錐ころ軸受１２をエレベータ用巻上機に設けたが、他にも適用することができる。
【図面の簡単な説明】
【００１８】
【図１】この発明の実施の形態１を示すエレベータ用巻上機の断面図である。
【図２】図１の複列円錐ころ軸受を示す断面図である。
【符号の説明】
【００１９】
１  固定部、５  回転部、６  綱車、１０ａ  突起部、１２  複列円錐ころ軸受、１６  軸受内輪、１７  軸受外輪、１８  転動体、１９  第１の軸受内輪、２０  第２の軸受内輪、２２  第２のフランジ部、２３  第２のねじ部、２４  第２の軸受ナット。
【図１】
2010101440.tif 000003
【図２】
2010101440.tif 000004